(57)【要約】【課題】塗料受け具で塗料の流下を遮っている間に、塗料受け具の先端に付着した塗料が垂れ落ちることを防ぐことができる被塗装体の部分塗装装置を提供する。【解決手段】塗料１をカーテン状に流下させて供給するフローコーター２の下方を通過させて被塗装体３を搬送し、フローコーター２から流下する塗料１を被塗装体３の表面の一部に塗着させて部分的に塗装を行なう被塗装体の部分塗装装置に関する。フローコーター２から流下する塗料１の流下を遮る位置と、流下を遮らない位置との間で往復駆動され、被塗装体３の塗装を行なわない部分が塗料１の流下位置を通過する際に、塗料１の流下を遮る位置に移動して、流下する塗料１を受ける塗料受け具４を備える。この塗料受け具４を、その上面が、塗料受け具４が塗料１の流下を遮らない位置から塗料１の流下を遮る位置へと移動する方向と反対方向に移動するように回転駆動される回転駆動体５で形成する。【選択図】図１
2007229606.tif 000002
【特許請求の範囲】
【請求項１】
塗料をカーテン状に流下させて供給するフローコーターの下方を通過させて被塗装体を搬送し、フローコーターから流下する塗料を被塗装体の表面の一部に塗着させて部分的に塗装を行なう被塗装体の部分塗装装置であって、フローコーターから流下する塗料の流下を遮る位置と、流下を遮らない位置との間で往復駆動され、フローコーターの下方を搬送される被塗装体の塗装を行なわない部分がフローコーターからの塗料の流下位置を通過する際に、塗料の流下を遮る位置に移動して、フローコーターから流下する塗料を受ける塗料受け具を備え、塗料受け具を、その上面が、塗料受け具が塗料の流下を遮らない位置から塗料の流下を遮る位置へと移動する方向と反対方向に移動するように回転駆動される回転駆動体で形成して成ることを特徴とする被塗装体の部分塗装装置。
【請求項２】
回転駆動体をベルトコンベアで形成し、ベルトコンベアのベルトをその上面側が塗料受け具が塗料の流下を遮らない位置から塗料の流下を遮る位置へと移動する方向と反対方向に走行するよう駆動して成ることを特徴とする請求項１に記載の被塗装体の部分塗装装置。
【請求項３】
ベルトコンベアを、ベルトの上面が塗料の流下位置から遠ざかる側へ下り傾斜するように形成して成ることを特徴とする請求項２に記載の被塗装体の部分塗装装置。
【請求項４】
回転駆動体をロールで形成し、ロールをその上面側が塗料受け具が塗料の流下を遮らない位置から塗料の流下を遮る位置へと移動する方向と反対方向に回転するよう駆動して成ることを特徴とする請求項１に記載の被塗装体の部分塗装装置。
【請求項５】
回転駆動体の外周を流れる塗料を掻き取るスクレーパーを設けて成ることを特徴とする請求項１乃至４のいずれかに記載の被塗装体の部分塗装装置。
【請求項６】
回転駆動体の外周を流れる塗料を、回転駆動体の中央側に掻き寄せるガイドスクレーパーを設けて成ることを特徴とする請求項１乃至５のいずれかに記載の被塗装体の部分塗装装置。
【請求項７】
回転駆動体の中央部を凹ませて成ることを特徴とする請求項１乃至６のいずれかに記載の被塗装体の部分塗装装置。
【発明の詳細な説明】
【技術分野】
【０００１】
本発明は、屋根板材などを被塗装体として用い、被塗装体の一部にのみ部分的に塗装するようにした、被塗装体の部分塗装装置に関するものである。
【背景技術】
【０００２】
例えば、セメント製の屋根板材は、その棟側の部分には他の屋根板材が重ねられるので、軒側の部分のみが外部に露出し、棟側の部分は露出しない。この屋根板材のように、一部を上下に重複させた状態で使用される部材は、一部のみが外部に露出し、他の部分は外部には露出しないので、外部に露出する一部にのみ塗装を施し、露出しない部分には塗装は行なわれない。
【０００３】
そして塗料をカーテン状に流下させて供給するフローコーターを用いて塗装するにあたっては、フローコーターの下方に屋根板材などからなる被塗装体を通過させることによって、被塗装体の表面にこのカーテン状に流下される塗料を塗着させて塗装を行なうことができるが、被塗装体の表面の一部のみに塗装を行なう場合は、塗料受け具を用いて間欠的な塗装を行なうようにしている。すなわち、被塗装体の塗装を行なわない部分がフローコーターからの塗料の流下位置を通過する際に、塗料受け具で塗料の流下を遮ることによって、この部分には塗料が被塗装体の表面に塗着されないようにすることができ、被塗装体の表面の一部のみに塗装を行なうことができるものである（例えば特許文献１等参照）。
【０００４】
図７はこのような塗料受け具４を備えたフローコーター２の一例を示すものであり、フローコーター２の下側に塗料受け具４が設けてある。この塗料受け具４はアクチュエータ１５で駆動されるようにしてあり、先端部がフローコーター２から流下する塗料１の流下を遮る位置と、先端部が立ち上がって塗料１の流下位置より後方へ引っ込む位置の間で往復回動されるようにしてある。
【０００５】
このものにあって、被塗装体３は搬送コンベア１６でフローコーター２の下方を横切るように搬送されている。そして被塗装体３の塗装を行なう部分がフローコーター２からの塗料１の流下位置を通過するときには、図７（ａ）のように、塗料受け具４は立ち上がるようにアクチュエータ１５で回動されており、フローコーター２から流下する塗料１は塗料受け具４で遮られないので、被塗装体３の表面に塗料が塗着されて塗装が行なわれる。また被塗装体３の塗装を行なわない部分がフローコーター２からの塗料１の流下位置に達すると、図７（ｂ）のように、アクチュエータ１５が作動して塗料受け具４が倒れる方向に回動され、塗料受け具４の先端部でフローコーター２から流下する塗料１が遮られて、塗料１は被塗装体３の表面に到達しないので、被塗装体３のこの部分には塗装されないようにすることができるものである。塗料受け具４で遮られた塗料１は塗料受け具４の上面に受けられ、塗料受け具４の傾斜によって流れて、塗料受け具４の後端部から塗料回収容器１７に回収されるようになっている。
【特許文献１】特開平１１−２０７２３２号公報
【発明の開示】
【発明が解決しようとする課題】
【０００６】
上記の図７のように塗料受け具４を用いることによって、間欠的な塗装を行なうことができるが、図７（ｂ）のように塗料受け具４でフローコーター２から流下する塗料１を遮るようにするときには、塗料受け具４の先端は流下する塗料１の流れの中を通過するため、塗料受け具４の先端に塗料１が付着する。
【０００７】
従って、図７（ｂ）のように塗料受け具４で塗料１の流下を遮っている間に、塗料受け具４の先端に付着したこの塗料１が破線矢印のように下方へ垂れ落ちるおそれがある。そしてこのように塗料受け具４の先端から垂れ落ちると、塗料１の回収の歩留まりが悪くなり、また垂れ落ちたこの塗料１が被塗装体３の塗装をしない部分に付着すると、被塗装体３を汚してしまうおそれがあるという問題があった。
【０００８】
本発明は上記の点に鑑みてなされたものであり、塗料受け具を用いて間欠的な塗装で被塗装体の一部にのみ塗装を行なうようにした被塗装体の部分塗装装置において、塗料受け具で塗料の流下を遮る際に、塗料受け具の先端に付着した塗料が垂れ落ちることを防ぐことができる被塗装体の部分塗装装置を提供することを目的とするものである。
【課題を解決するための手段】
【０００９】
本発明の請求項１に係る被塗装体の部分塗装装置は、塗料１をカーテン状に流下させて供給するフローコーター２の下方を通過させて被塗装体３を搬送し、フローコーター２から流下する塗料１を被塗装体３の表面の一部に塗着させて部分的に塗装を行なう被塗装体の部分塗装装置であって、フローコーター２から流下する塗料１の流下を遮る位置と、流下を遮らない位置との間で往復駆動され、フローコーター２の下方を搬送される被塗装体３の塗装を行なわない部分がフローコーター２からの塗料１の流下位置を通過する際に、塗料１の流下を遮る位置に移動して、フローコーター２から流下する塗料１を受ける塗料受け具４を備え、塗料受け具４を、その上面が、塗料受け具４が塗料１の流下を遮らない位置から塗料１の流下を遮る位置へと移動する方向と反対方向に移動するように回転駆動される回転駆動体５で形成して成ることを特徴とするものである。
【００１０】
この発明によれば、塗料受け具４でフローコーター２から流下する塗料１を遮る際に、塗料受け具４の先端に塗料１が付着しても、塗料受け具４はその上面が塗料１の流下を遮る位置へと移動する方向と反対方向に移動するように回転駆動される回転駆動体５で形成してあるため、塗料受け具４の先端に付着した塗料１は、回転駆動体５の回転駆動によって後方へ送られ、塗料受け具４の先端から塗料１が垂れ落ちることを防ぐことができる。
【００１１】
また請求項２の発明は、請求項１において、回転駆動体５をベルトコンベア６で形成し、ベルトコンベア６のベルト７をその上面側が塗料受け具４が塗料１の流下を遮らない位置から塗料１の流下を遮る位置へと移動する方向と反対方向に走行するよう駆動して成ることを特徴とするものである。
【００１２】
この発明によれば、ベルトコンベア６のベルト７の走行駆動で、塗料受け具４の先端に付着した塗料１を後方へ送ることができ、塗料受け具４の先端から塗料１が垂れ落ちることを防ぐことができる。
【００１３】
また請求項３の発明は、請求項２において、ベルトコンベア６を、ベルト７の上面が塗料１の流下位置から遠ざかる側へ下り傾斜するように形成して成ることを特徴とするものである。
【００１４】
この発明によれば、フローコーター２から流下する塗料１を塗料受け具４で遮る際に、塗料受け具４を形成するベルトコンベア６の上面に受けられた塗料１はベルトコンベア６の傾斜によって後端側へ流れ、ベルトコベア６の後端から塗料１を回収することができる。
【００１５】
また請求項４の発明は、請求項１において、回転駆動体５をロール８で形成し、ロール８をその上面側が塗料受け具４が塗料１の流下を遮らない位置から塗料１の流下を遮る位置へと移動する方向と反対方向に回転するよう駆動して成ることを特徴とするものである。
【００１６】
この発明によれば、ロール８の回転駆動で、塗料受け具４の先端に付着した塗料１を後方へ送ることができ、塗料受け具４の先端から塗料１が垂れ落ちることを防ぐことができる。
【００１７】
また請求項５の発明は、請求項１乃至４のいずれかにおいて、回転駆動体５の外周を流れる塗料１を掻き取るスクレーパー９を設けて成ることを特徴とするものである。
【００１８】
この発明によれば、塗料受け具４を形成する回転駆動体５に受けられて付着した塗料１をスクレーパー９で掻き取ることによって、回転駆動体５に付着した塗料１を回収することができると共に塗料１が垂れ落ちることを防ぐことができる。
【００１９】
また請求項６の発明は、請求項１乃至５のいずれかにおいて、回転駆動体５の外周を流れる塗料１を、回転駆動体５の中央側に掻き寄せるガイドスクレーパー１０を設けて成ることを特徴とするものである。
【００２０】
この発明によれば、塗料受け具４を形成する回転駆動体５に受けられた塗料１を回転駆動体５の中央部側に寄せることができ、回転駆動体５の両端から溢れて流れ落ちることを防ぐことができる。
【００２１】
また請求項７の発明は、請求項１乃至６のいずれかにおいて、回転駆動体５の中央部を凹ませて成ることを特徴とするものである。
【００２２】
この発明によれば、塗料受け具４を形成する回転駆動体５に受けられた塗料１を回転駆動体５の中央部に集めることができ、回転駆動体５の両端から溢れて流れ落ちることを防ぐことができる。
【発明の効果】
【００２３】
本発明によれば、塗料受け具４でフローコーター２から流下する塗料１を遮る際に、塗料受け具４の先端に塗料１が付着しても、塗料受け具４はその上面が塗料１の流下を遮る位置へと移動する方向と反対方向に移動するように回転駆動される回転駆動体５で形成してあるため、塗料受け具４の先端に付着した塗料１は、回転駆動体５の回転駆動によって後方へ送られるものであり、塗料受け具４の先端から塗料１が垂れ落ちることを防ぐことができるものである。
【発明を実施するための最良の形態】
【００２４】
以下、本発明を実施するための最良の形態を説明する。
【００２５】
図１及び図２は本発明の実施の形態の一例を示すものであり、一対の搬送コンベア１９，２０がその先端と後端を所定の間隔を介して対向させて一直線上に配置してある。この一対の搬送コンベア１９，２０は同方向に同速度で走行駆動されているものであり、搬送コンベア１９，２０の間隔はセメント製屋根板材などの被塗装体３の送り方向の長さの半分以下になるように設定してある。従って、被塗装体３を水平姿勢で一方の搬送コンベア１９から他方の搬送コンベア２０へと一方向に搬送することができるものである。
【００２６】
この一対の搬送コンベア１９，２０の先端と後端間においてその上方にフローコーター２が配置して設けてある。フローコーター２は下面に細長いスリット状の吐出口（図示省略）を設けて形成されるものであり、薄い厚みのカーテン状に塗料１を流下させるようにしてある。この吐出口は搬送コンベア１９，２０の長手方向（搬送方向）と垂直な向きで形成されるものである。また搬送コンベア１９，２０の先端と後端の間の下方には、フローコーター２の直下位置において、上面が開口する塗料回収タンク２２が設けてある。この塗料回収タンク２２は配管２３でフローコータ２に接続してあり、回収した塗料１をポンプなどでフローコーター２に返送するようにしてある。
【００２７】
被塗装体３は搬送コンベア１９でフローコーター２の下方へと搬入され、フローコーター２の下方を通過した後に、搬送コンベア２０で搬出されるものであり、この一対の搬送コンベア１９，２０のうち、搬入側の搬送コンベア１９の上方に、フローコーター２より低い高さ位置に配置して塗料受け具４が設けてある。
【００２８】
本発明において塗料受け具４は回転駆動体５で形成されるものであり、図１及び図２の実施の形態では、回転駆動体５としてベルトコンベア６を用いるようにしてある。このベルトコンベア６は一対のローラ２４ａ，２４ｂと、ローラ２４ａ，２４ｂに架け渡したベルト７とで形成されるものである。このベルト７はフッ素系、ポリウレタン系、ゴム等の樹脂製ベルトや、ステンレス等のスチールベルトなどで形成されるものであり、塗料１の種類に応じて任意のものを用いることができる。ベルトコンベア６は一方のローラ２４ａがフローコーター２から遠い位置に、他方のローラー２４ｂが近い位置になるように、且つ一方のローラ２４ａが他方のローラー２４ｂより低い位置になるように配置してあり、ベルト４の上面がフローコーター２から離れる後方向に下り傾斜するようにしてある。そしてベルト７はローラ２４ａ，２４ｂの回転によって走行駆動されるものであり、ベルト７の上面がローラー２４ｂの側からローラー２４ａの側へ移動する方向に、つまりフローコーター２から離れる後方向に走行駆動されるものである。
【００２９】
また、一対のローラ２４ａ，２４ｂのうち、一方のローラ２４ａは固定的に配置してあり、他方のローラ２４ｂはアクチュエータ１５によって往復移動されるようにしてある。このアクチュエータ１５としては、ソレノイド、エアーシリンダー、電動シリンダー、油圧シリンダーやその他モータで駆動されるものなど、任意のものを用いることができる。そしてローラー２４ｂは、フローコーター２の吐出口の直下位置、すなわちフローコーター２からカーテン状に流下する塗料１の流下位置と、この塗料１の流下位置から離れる後方位置との間で、水平移動されるものである。ベルト７の内側にはテンション調整ローラー２５が設けてあり、ローラー２４ｂのこの移動に伴ってテンション調整ローラー２５が移動することによって、ベルト７のテンションが常に一定に保たれるようにしてある。また固定側のローラー２４ａの下方には、ベルトコンベア６の後端位置において上面が開口する塗料回収容器１７が配置してある。
【００３０】
また搬出側の搬送コンベア２０の上方には、搬送コンベア２０の搬送方向に沿って一対のセンサー２７，２８が配置して設けてある。この一対のセンサー２７，２８うち、フローコーター２から遠い側のセンサー２７は被塗装体３の前端を検知するものであり、フローコーター２から近い側のセンサー２８は被塗装体３の後端を検知するものである。そして各センサー２７，２８及びアクチュエータ１５はそれぞれ制御装置に電気的に接続してあり、センサー２７で被塗装体３の前端が検知されると、アクチュエータ１５を前進駆動させて、ローラー２４ｂをフローコーター２からの塗料１の流下位置に前進させ、センサー２８で被塗装体３の後端が検知されると、アクチュエータ１５を後進駆動させて、ローラー２４ｂをフローコーター２からの塗料１の流下位置から離れるように後退させる制御が行なわれるようにしてある。
【００３１】
上記のように形成される装置で、屋根材などの板材からなる被塗装体３の表面の一部に、例えば被塗装体３の前半分にのみ塗装を行なうものであり、被塗装体３を水平姿勢で搬入用の搬送コンベア１９の上に所定間隔で供給し、順次フローコーター２へ向けて搬入するようになっている。このとき、図２（ｂ）のように塗料受け具４を構成するベルトコンベア６のローラ２４ｂは後退した位置にあり、ベルトコンベア６の先端部はフローコーター２からカーテン状に流下する塗料１の後方に控えている。従って、フローコーター２から流下した塗料１はベルトコンベア６で遮られることなく、搬送コンベア１９，２０の間を通過して塗料回収タンク２２に受けられる。この塗料回収タンク２２に受けられた塗料１は、返送配管２３を通してフローコーター２に返送され、フローコーター２で再使用されるようになっている。
【００３２】
そして、被塗装体３が搬送コンベア１９でフローコーター２の下方へと搬入されると、被塗装体３の上面のうちフローコーター２の直下を通過する部分に、フローコーター２からカーテン状に流下する塗料１が図１のように塗布される。
【００３３】
次に、この被塗装体３の前端部が搬送コンベア１９から搬出用の搬送コンベア２０に移って、被塗装体３の前端部がセンサー２７で検知されると、アクチュエータ１５が前進駆動して、ローラー２４ｂがフローコーター２からの塗料１の流下位置に前進する。従って、塗料受け具４を構成するベルトコンベア６の前端部がフローコーター２から塗料１が流下する位置に差し込まれることになるので、図２（ａ）に示すように、フローコーター２から流下する塗料１はベルトコンベア６の前端部においてベルト７の上面に受けられ、塗料１の流下がベルトコンベア６で遮断される。このように塗料１の流下が遮断されることによって、塗料１は被塗装体３に到達しなくなるので、被塗装体３の上面のうち塗装しない部分には塗料１を塗着させないようにすることができるものである。
【００３４】
ここで、塗料受け具４を構成するベルトコンベア６は、上記のようにベルト７の上面がローラー２４ｂの側からローラー２４ａの側へ移動する方向に、つまりフローコーター２から離れる後方向に走行駆動されている。従って、ベルトコンベア６でフローコーター２から流下する塗料１を遮る際に、ベルトコンベア６の前端部においてベルト７に塗料１が付着しても、この付着した塗料１はベルト７の走行によってベルトコンベア６の後方へ送られることになり、ベルトコンベア６の前端部に付着した塗料１がベルトコンベア６の前端部から下方へ垂れ落ちるようなことがなくなるものである。このため、垂れ落ちた塗料１が被塗装体３の塗装をしない部分に付着して、被塗装体３を汚すようなことがなくなるものである。
【００３５】
そしてこのようにベルトコンベア６のベルト７の上面に受けられた塗料１は、ベルト７の走行と、ベルトコンベア６の傾斜によって、ベルトコンベア６の後部側へ流れ、ベルトコンベア６の後端から塗料回収容器１７に受けられる。この塗料回収容器１７に受けられた塗料１は、返送配管２３を通してフローコーター２に返送され、フローコーター２で再使用されるようになっている。
【００３６】
また、塗料回収容器１７内において、ベルトコンベア６の後端部のローラー２４ａの下側にスクレーパー９が配置して設けてあり、ベルト７の表面にこのスクレーパー９の先端を当接させてある。従って、ベルトコンベア６の後部側へ流れた塗料１のうち、ベルト７の表面に付着したままベルトコンベア６の下側に廻り込む塗料１をこのスクレーパー９で掻き取って塗料回収容器１７に落とすことができる。このため、ベルト７の表面から塗料１を塗料回収容器１７に確実に回収することができるものであり、またベルトコンベア６の下側に廻り込んだ塗料１が被塗装体３などの上に垂れ落ちるようなことを防ぐことができるものである。
【００３７】
次に、被塗装体３がフローコーター２の下方を通過して搬出用の搬送コンベア２０に乗り移り、被塗装体３の後端部がセンサー２８で検知されると、アクチュエータ１５が後進駆動して、ローラー２４ｂがフローコーター２からの塗料１の流下位置から離れるように後退する。従って、塗料受け具４を構成するベルトコンベア６の前端部が塗料１の流下位置から後退するように離れて、塗料１の流下が遮らない図２（ｂ）の状態に戻る。そして、次にフローコーター２の下方に搬送される被塗装体３を上記と同様にして塗装することができるものであり、搬送コンベア１９，２０で搬送される被塗装体３を間欠的に塗装して、被塗装体３の表面のうち一部のみを塗装する部分塗装を行なうことができるものである。
【００３８】
図３及び図４は本発明の他の実施の形態を示すものであり、塗料受け具４を構成する回転駆動体５として、図３及び図４の実施の形態ではロール８を用いるようにしてある。そしてこのロール８はアクチュエータ１５によって往復移動されるようにしてあり、フローコーター２からカーテン状に流下する塗料１の流下位置と、この塗料１の流下位置から離れて後退する位置との間で、水平移動されるようにしてある。またロール８は、その上面がフローコーター２から離れる後方向に回転するように駆動されるものである。このロール８の下方には上面が開口する塗料回収容器１７が配置してある。その他の構成は、上記の図１及び図２のものと同じである。
【００３９】
このように形成される装置で被塗装体３の表面の一部に塗装を行なうにあたって、被塗装体３がフローコーター２の下方へ搬入される前は、図４（ｂ）のように塗料受け具４を構成するロール８は後退した位置にあり、フローコーター２からカーテン状に流下する塗料１の後方位置に控えている。従って、フローコーター２から流下した塗料１はロール８で遮られることなく、搬送コンベア１９，２０の間を通過して塗料回収タンク２２に受けられ、返送配管２３を通してフローコーター２に返送されるようになっている。
【００４０】
そして、被塗装体３が搬送コンベア１９でフローコーター２の下方へと搬入されると、被塗装体３の上面のうちフローコーター２の直下を通過する部分に、フローコーター２からカーテン状に流下する塗料１が図３のように塗布される。
【００４１】
次に、この被塗装体３の前端部が搬送コンベア１９から搬出用の搬送コンベア２０に移って、被塗装体３の前端部がセンサー２７で検知されると、アクチュエータ１５が前進駆動して、ロール８がフローコーター２からの塗料１の流下位置に前進する。従って、塗料受け具４を構成するロール８がフローコーター２から塗料１が流下する位置に差し込まれることになるので、図４（ａ）に示すように、フローコーター２から流下する塗料１はロール８の上面に受けられ、塗料１の流下がロール８で遮断される。このように塗料１の流下が遮断されることによって、被塗装体３の上面のうち塗装しない部分には塗料１は塗着されない。
【００４２】
ここで、塗料受け具４を構成するロール８は、上面がフローコーター２から離れる方向に移動するように回転駆動されている。従って、ロール８でフローコーター２から流下する塗料１を遮る際に、ロール８の前端に塗料１が付着しても、この付着した塗料１はロール８の回転によってロール８の後側へ送られることになり、ロール８の前端に付着した塗料１が下方へ垂れ落ちるようなことがなくなるものである。このため、垂れ落ちた塗料１が被塗装体３の塗装をしない部分に付着して、被塗装体３を汚すようなことがなくなるものである。
【００４３】
そしてこのようにロール８の上面に受けられた塗料１は、ロール８の回転によって後側へ流れ、ロール８の後端部から塗料回収容器１７に受けられる。この塗料回収容器１７に受けられた塗料１は、返送配管２３を通してフローコーター２に返送される。また、塗料回収容器１７内において、ロール８の下面にスクレーパー９の先端が当接させてある。従って、ロール８の後側へ流れた塗料１のうち、ロール８の表面に付着したまま下側に廻り込む塗料１をこのスクレーパー９で掻き取って塗料回収容器１７に落とすことができる。このため、ロール８の表面から塗料１を塗料回収容器１７に確実に回収することができるものであり、またロール８の下側に廻り込んだ塗料１が被塗装体３などの上に垂れ落ちるようなことを防ぐことができるものである。
【００４４】
次に、被塗装体３がフローコーター２の下方を通過して搬出用の搬送コンベア２０に乗り移り、被塗装体３の後端部がセンサー２８で検知されると、アクチュエータ１５が後進駆動して、ロール８がフローコーター２から流下する塗料１の位置から離れるように後退し、塗料１の流下が遮られない図４（ｂ）の状態に戻る。そして、次にフローコーター２の下方に搬送される被塗装体３を上記と同様にして塗装することができるものであり、搬送コンベア１９，２０で搬送される被塗装体３を間欠的に塗装して、被塗装体３の表面のうち一部のみを塗装する部分塗装を行なうことができるものである。
【００４５】
ここで、塗料受け具４を構成するベルトコンベア６やロール８は、フローコーター２からカーテン状に流下する塗料１の幅よりも、その幅寸法（被塗装体３の搬送方向と垂直な水平方向の寸法）を大きく形成してあるが、上記のように、フローコーター２から流下する塗料１をベルトコンベア６やロール８で、受けて、被塗装体３の塗装を行なわない部分に塗料１が塗着しないようにするにあたって、塗料１がベルトコンベア６やロール８の表面をその両端部（被塗装体３の送り方向と直交する側の両端部）の側に流れると、この端部から塗料１が溢れて垂れ落ちるおそれがある。そこで図５の実施の形態では、ベルトコンベア６やロール８の両側端部の表面にそれぞれガイドスクレーパー１０を設けてある。この一対のガイドスクレーパー１０は、ベルトコンベア６やロール８のフローコーター２と反対側の側面に設けてあり、下端同士が近接する方向に傾斜させてある。従って、ベルトコンベア６やロール８の表面を流れる塗料１はガイドスクレーパー１０で中央の側へ寄せられ、塗料１が両端部へ流れ出ないようにすることができるものであり、ベルトコンベア６やロール８の両端部から塗料１が垂れ落ちることを防ぐことができるものである。
【００４６】
また、図６（ａ）や図６（ｂ）のように、ベルトコンベア６やロール８の幅方向の中央部を凹湾曲状に凹ませるようにすれば、矢印のように塗料１は中央部へ流れて集まるので、ベルトコンベア６やロール８の両端部から塗料１が溢れて垂れ落ちることを防ぐことができるものである。さらに図６（ｃ）や図６（ｄ）のように、ベルトコンベア６のベルト７の両端部の全長に、あるいはロール８の両端部の外面の全周に、突条堰３０を設けることによって、ベルトコンベア６やロール８の幅方向の中央部を凹ませるようにしてもよく、この場合もベルトコンベア６やロール８の両端部から塗料１が溢れて垂れ落ちることを防ぐことができるものである。
【図面の簡単な説明】
【００４７】
【図１】本発明の実施の形態の一例を示す概略断面図である。
【図２】同上の実施の形態の一例を示すものであり、（ａ）（ｂ）はそれぞれ概略断面図である。
【図３】本発明の実施の形態の他の一例を示す断面図である。
【図４】同上の実施の形態の一例を示すものであり、（ａ）（ｂ）はそれぞれ概略断面図である。
【図５】本発明の実施の形態の他の一例を示す概略側面図である。
【図６】本発明の実施の形態の他の一例を示すものであり、（ａ）乃至（ｄ）はそれぞれ概略図である。
【図７】従来例を示すものであり、（ａ）（ｂ）はそれぞれ概略断面図である。
【符号の説明】
【００４８】
１  塗料
２  フローコーター
３  被塗装体
４  塗料受け具
５  回転駆動体
６  ベルトコンベア
７  ベルト
８  ロール
９  スクレーパー
１０  ガイドスクレーパー
【図１】
2007229606.tif 000003
【図２】
2007229606.tif 000004
【図３】
2007229606.tif 000005
【図４】
2007229606.tif 000006
【図５】
2007229606.tif 000007
【図６】
2007229606.tif 000008
【図７】
2007229606.tif 000009